(57)【要約】【課題】ケースに衝撃を受けてもリールのフランジがケースの内面に当たることがないようにする。【解決手段】記録テープＴが外周面７０Ａに巻回されるハブ７０とハブ７０の両端部に設けられたフランジ７２、７４とを有するリール２０と、リール２０を収容するケース１２と、リール２０をケース１２の底板１６Ａ側へ付勢する付勢手段９０と、ケース１２の天板１４Ａ内面に形成され、ハブ７０内に挿入されてリール２０の径方向の位置を規制する位置規制手段９６と、ケース１２の天板１４Ａ内面に形成され、リール２０がケース１２に対して傾いたときに、フランジ７２が天板１４Ａ内面に当たる前にハブ７０の一端部７０Ｂが当たって、フランジ７２が天板１４Ａ内面に当たるのを防ぐ保護突起部９８と、を備えた記録テープカートリッジ１０であって、保護突起部９８を、その径方向外側端面９８Ａがハブ７０の外周面７０Ａと径方向で略同位置になるように形成する。【選択図】図４
2011243269.tif 000002
【特許請求の範囲】
【請求項１】
記録テープが外周面に巻回される略円筒状のハブと該ハブの両端部に設けられたフランジとを有するリールと、
前記リールを収容するケースと、
前記リールを前記ケースの底板側へ付勢する付勢手段と、
前記ケースの天板内面に形成され、前記ハブ内に挿入されて前記リールの径方向の位置を規制する位置規制手段と、
前記ケースの天板内面に形成され、前記リールが該ケースに対して傾いたときに、前記フランジが前記天板内面に当接する前に、前記ハブの一端部が当接して該フランジが該天板内面に当接するのを防ぐ保護突起部と、
を備え、
前記保護突起部は、前記径方向外側端面が、前記ハブの外周面と該径方向で略同位置になるように形成されていることを特徴とする記録テープカートリッジ。
【請求項２】
記録テープが外周面に巻回される略円筒状のハブと該ハブの両端部に設けられたフランジとを有するリールと、
前記リールを収容するケースと、
前記リールを前記ケースの底板側へ付勢する付勢手段と、
前記ケースの天板内面に形成され、前記ハブ内に挿入されて前記リールの径方向の位置を規制する位置規制手段と、
前記ケースの天板内面に形成され、前記リールが該ケースに対して傾いたときに、前記フランジが前記天板内面に当接する前に、前記ハブの一端部が当接して該フランジが該天板内面に当接するのを防ぐ保護突起部と、
を備え、
前記保護突起部は、前記径方向外側端面が、前記ハブの外周面よりも該径方向内側に位置するように形成されていることを特徴とする記録テープカートリッジ。
【請求項３】
前記保護突起部は、放射状に延在する複数のリブで構成されていることを特徴とする請求項１又は請求項２に記載の記録テープカートリッジ。
【請求項４】
前記ケースが樹脂材で成形されるとともに、
前記位置規制手段の前記径方向内側における前記ケースの天板内面に、該位置規制手段の成形時の樹脂収縮による傾倒を抑える抑え部が形成されていることを特徴とする請求項１〜請求項３の何れか１項に記載の記録テープカートリッジ。
【請求項５】
前記保護突起部よりも前記径方向外側における前記ケースの天板内面は、該径方向外側に行くに従って前記ケース内の空間を拡げるような断面略テーパー形状に形成されていることを特徴とする請求項１〜請求項４の何れか１項に記載の記録テープカートリッジ。
【発明の詳細な説明】
【技術分野】
【０００１】
本発明は、磁気テープ等の記録テープが巻装されたリールをケース内に回転可能に収容した記録テープカートリッジに関する。
【背景技術】
【０００２】
従来から、主にコンピューター等のデータ記録再生媒体（データバックアップ）として使用される磁気テープ等の記録テープを合成樹脂製のリールに巻装し、そのリールをケース内に単一で収容してなる記録テープカートリッジが知られている。
【０００３】
このリールは、記録テープが巻回される略円筒状のハブと、そのハブの軸方向両端部に設けられた上フランジ及び下フランジとを有しており、記録テープカートリッジの不使用時には、制動手段によって回転ロック状態とされ、かつ、コイルバネ等の付勢手段によってケースの底板側へ押し付けられた状態で、そのケース内に収容されている。
【０００４】
したがって、例えば使用者が過って記録テープカートリッジを落下させた場合には、そのケースに加えられる衝撃力によって、リールが上記付勢力に抗してケースの天板側へ移動することがあり、リールがケースに対して傾いたときには、上フランジの外周縁部がケースの天板内面に当たって記録テープ側に変形し、記録テープの幅方向端部で、所謂エッジ折れなどの損傷が生じるおそれがある。
【０００５】
そのため、ケースの天板内面に突起を設け、落下等による衝撃でリールがケースに対して傾いたときには、その突起にハブの上端部が当たることで、上フランジの外周縁部がケースの天板内面に当たり難くなるようにしたものが、従来に提案されている（例えば、特許文献１参照）。
【先行技術文献】
【特許文献】
【０００６】
【特許文献１】米国特許第５７３４５４０号明細書
【発明の概要】
【発明が解決しようとする課題】
【０００７】
しかしながら、この特許文献１に記載されているものには、リールの径方向の位置を規制する位置規制手段が設けられていないため、落下等によって衝撃を受けたときには、ハブの上端部が、所望通りに突起に当たらない可能性がある。つまり、この特許文献１に記載されているものでは、リールの上フランジの外周縁部がケースの天板内面に当たる可能性を完全には否定できない。
【０００８】
そして更に、この特許文献１に記載されているものには、リールの径方向の位置を規制する位置規制手段が設けられていないため、落下等によって衝撃を受けたときには、上下フランジの外周縁部が、リールの収容エリアを規定する内壁に当たる可能性がある。つまり、この特許文献１に記載されているものでは、上下フランジの外周縁部が内壁に当たることにより、各外周縁部が記録テープ側に変形して、記録テープの幅方向端部に損傷を与える可能性がある。
【０００９】
そこで、本発明は、上記事情に鑑み、ケースに衝撃を受けてもリールのフランジがケースの内面に当たることがないようにできる記録テープカートリッジを得ることを目的とする。
【課題を解決するための手段】
【００１０】
上記の目的を達成するために、本発明に係る請求項１に記載の記録テープカートリッジは、記録テープが外周面に巻回される略円筒状のハブと該ハブの両端部に設けられたフランジとを有するリールと、前記リールを収容するケースと、前記リールを前記ケースの底板側へ付勢する付勢手段と、前記ケースの天板内面に形成され、前記ハブ内に挿入されて前記リールの径方向の位置を規制する位置規制手段と、前記ケースの天板内面に形成され、前記リールが該ケースに対して傾いたときに、前記フランジが前記天板内面に当接する前に、前記ハブの一端部が当接して該フランジが該天板内面に当接するのを防ぐ保護突起部と、を備え、前記保護突起部は、前記径方向外側端面が、前記ハブの外周面と該径方向で略同位置になるように形成されていることを特徴としている。
【００１１】
請求項１に記載の発明によれば、落下等による衝撃がケースに加えられても、リールは、位置規制手段によって、その径方向の位置が規制されているので、フランジの外周縁部がリールの収容エリアを規定する内壁に当たることがない。また、その衝撃により、リールがケースに対して傾いても、ハブの一端部が保護突起部に確実に当たるので、フランジの外周縁部がケースの天板内面に当たることがない。したがって、フランジの外周縁部が記録テープ側に変形して記録テープの幅方向端部を損傷するような不具合は起きない。
【００１２】
また、本発明に係る請求項２に記載の記録テープカートリッジは、記録テープが外周面に巻回される略円筒状のハブと該ハブの両端部に設けられたフランジとを有するリールと、前記リールを収容するケースと、前記リールを前記ケースの底板側へ付勢する付勢手段と、前記ケースの天板内面に形成され、前記ハブ内に挿入されて前記リールの径方向の位置を規制する位置規制手段と、前記ケースの天板内面に形成され、前記リールが該ケースに対して傾いたときに、前記フランジが前記天板内面に当接する前に、前記ハブの一端部が当接して該フランジが該天板内面に当接するのを防ぐ保護突起部と、を備え、前記保護突起部は、前記径方向外側端面が、前記ハブの外周面よりも該径方向内側に位置するように形成されていることを特徴としている。
【００１３】
請求項２に記載の発明によれば、落下等による衝撃がケースに加えられても、リールは、位置規制手段によって、その径方向の位置が規制されているので、フランジの外周縁部がリールの収容エリアを規定する内壁に当たることがない。また、その衝撃により、リールがケースに対して傾いても、ハブの一端部が保護突起部に確実に当たるので、フランジの外周縁部がケースの天板内面に当たることがない。したがって、フランジの外周縁部が記録テープ側に変形して記録テープの幅方向端部を損傷するような不具合は起きない。
【００１４】
また、請求項３に記載の記録テープカートリッジは、請求項１又は請求項２に記載の記録テープカートリッジにおいて、前記保護突起部が、放射状に延在する複数のリブで構成されていることを特徴としている。
【００１５】
請求項３に記載の発明によれば、リールがケースに対して、どの径方向で傾いても、ハブの一端部は確実に保護突起部に当たる。したがって、フランジの外周縁部が、ケースの天板内面に当たるのを確実に防止することができる。
【００１６】
また、請求項４に記載の記録テープカートリッジは、請求項１〜請求項３の何れか１項に記載の記録テープカートリッジにおいて、前記ケースが樹脂材で成形されるとともに、前記位置規制手段の前記径方向内側における前記ケースの天板内面に、該位置規制手段の成形時の樹脂収縮による傾倒を抑える抑え部が形成されていることを特徴としている。
【００１７】
請求項４に記載の発明によれば、位置規制手段を精度よく形成することができる。したがって、ハブの一端部はより確実に保護突起部に当たり、フランジの外周縁部が、ケースの天板内面やリールの収容エリアを規定する内壁に当たるのをより確実に防止することができる。
【００１８】
また、請求項５に記載の記録テープカートリッジは、請求項１〜請求項４の何れか１項に記載の記録テープカートリッジにおいて、前記保護突起部よりも前記径方向外側における前記ケースの天板内面が、該径方向外側に行くに従って前記ケース内の空間を拡げるような断面略テーパー形状に形成されていることを特徴としている。
【００１９】
請求項５に記載の発明によれば、フランジの外周縁部が、ケースの天板内面に当たるのをより確実に防止することができる。
【発明の効果】
【００２０】
以上のように、本発明によれば、衝撃を受けてもリールのフランジがケースの内面に当たることがないようにできる記録テープカートリッジを提供することができる。
【図面の簡単な説明】
【００２１】
【図１】第１実施形態に係る記録テープカートリッジの概略斜視図
【図２】第１実施形態に係る記録テープカートリッジの概略分解斜視図
【図３】第１実施形態に係る記録テープカートリッジの上ケースの概略底面図
【図４】第１実施形態に係る記録テープカートリッジの上ケースに設けられた位置規制手段と保護突起部を示す概略側断面図
【図５】不使用時における第１実施形態に係る記録テープカートリッジの一部を示す概略側断面図
【図６】衝撃を受けたときの第１実施形態に係る記録テープカートリッジの一部を示す概略側断面図
【図７】不使用時における第２実施形態に係る記録テープカートリッジの一部を示す概略側断面図
【図８】衝撃を受けたときの第２実施形態に係る記録テープカートリッジの一部を示す概略側断面図
【図９】第２実施形態に係る記録テープカートリッジの上ケースの内面を示す概略斜視図
【発明を実施するための形態】
【００２２】
以下、本発明の実施の形態について、図面に示す実施例を基に詳細に説明する。なお、説明の便宜上、図１において、記録テープカートリッジ１０のドライブ装置（図示省略）への装填方向を矢印Ａで示し、それを記録テープカートリッジ１０の前方向（前側）とする。そして、矢印Ａ方向と直交する矢印Ｂ方向を右方向（右側）とする。また、矢印Ａ方向及び矢印Ｂ方向と直交する方向を矢印Ｃで示し、それを記録テープカートリッジ１０の上方向（上側）とする。
【００２３】
まず、第１実施形態に係る記録テープカートリッジ１０について説明する。図１、図２で示すように、この記録テープカートリッジ１０は、平面視で略矩形状とされたケース１２内に、情報記録再生媒体である磁気テープ等の記録テープＴが巻装されたリール２０を回転可能に単一で収容して構成されている。なお、リール２０については、後で詳述する。
【００２４】
ケース１２は、ドライブ装置への装填方向先頭側の１つの角部である右前角部が平面視で斜めに切り欠かれた上ケース１４と下ケース１６とを互いの周壁１４Ｂ、１６Ｂを突き合せて接合することで構成されており、その内部にはリール２０を収容する収容空間が形成されている。
【００２５】
また、上ケース１４及び下ケース１６の周壁１４Ｂ、１６Ｂの切り取られた角部が記録テープＴの引き出し用の開口１８とされ、この開口１８から引き出される記録テープＴの自由端には、ドライブ装置の引出手段（図示省略）によって係止（係合）されつつ引き出し操作されるリーダーピン２２が取り付けられている。
【００２６】
リーダーピン２２の記録テープＴの幅方向端部より突出した両端部には、環状溝２２Ａが形成されており、この環状溝２２Ａが引出手段のフック等に係止されるようになっている。これにより、記録テープＴを引き出す際に、フック等が記録テープＴに接触して、その記録テープＴを傷付けない構成である。
【００２７】
また、ケース１２の開口１８の内側には、ケース１２内において、リーダーピン２２を位置決め保持する上下一対のピン保持部２４が設けられている。ピン保持部２４は、略半円筒形状をしており、その凹部２４Ａ内に、直立した状態のリーダーピン２２の両端部が保持されるようになっている。なお、ピン保持部２４の記録テープＴの引き出し側は開放されており、リーダーピン２２が出入する出入口となっている。
【００２８】
また、ピン保持部２４の近傍には、板バネ２５が、前壁１２Ａ（周壁１４Ｂ、１６Ｂのうち、外面が矢印Ａ方向を向く部分）の内面に設けられたバネ保持部２７と溝部２３に、その基部が挿入されて固定配置されるようになっている。そして、この板バネ２５の二股状の先端部が、リーダーピン２２の上下端部に係合してリーダーピン２２をピン保持部２４に保持するようになっている。なお、リーダーピン２２がピン保持部２４に出入する際には、板バネ２５の先端部は適宜弾性変形して、リーダーピン２２の移動を許容するようになっている。
【００２９】
また、下ケース１６の略中央部には、リール２０のリールギア７７（図４参照）を外部に露出させるためのギア開口２６が設けられており、リール２０はリールギア７７がドライブ装置の駆動ギア（図示省略）に噛合されてケース１２内で回転駆動されるようになっている。そして、ギア開口２６の周縁部には、環状リブ２６Ａがケース１２の内方（上方）へ向けて突設されており、記録テープカートリッジ１０の不使用時におけるリール２０の位置決め用とされている。
【００３０】
また、リール２０が収容されるエリアは、上ケース１４の天板１４Ａ内面及び下ケース１６の底板１６Ａ内面にそれぞれ部分的に突設されて、ギア開口２６と同軸的な円形の軌跡上（円周上）にある内壁としての遊動規制壁２８によって規定されるようになっている。そして、リール２０は、その遊動規制壁２８の内側に収容されて、ガタつかないように保持されるようになっている。
【００３１】
また、下ケース１６において、遊動規制壁２８の開口１８近傍の端部には、内部に位置規制用穴が形成された袋部２８Ａが連設されており、下ケース１６の左前角部の内側においては、長穴である位置規制用穴が形成された袋部２９が遊動規制壁２８とは離隔して設けられている。袋部２８Ａ、２９は、矢印Ｂ方向に沿った一直線上に配置されており、下面側における位置規制用穴の周囲（袋部２８Ａ、２９の肉厚と同じか、それよりも少し広い部分）が、ドライブ装置に対する高さ（上下）方向の位置決めをする基準面となっている。
【００３２】
そして、袋部２８Ａが連設された端部を除いて、下ケース１６の遊動規制壁２８は、その端部が周壁１６Ｂと連設されることで、その外側とリール２０の収容エリア（収容空間）とを仕切っている。また、上ケース１４の遊動規制壁２８も同様に（上下対称に）、その端部が周壁１４Ｂと連設されることで、その外側とリール２０の収容エリア（収容空間）とを仕切っている。これにより、ケース１２の強度を向上でき、リール２０の収容エリアの防塵性を向上できる構成である。
【００３３】
また、下ケース１６の遊動規制壁２８のケース１２後方側における外周面と後部内面１６Ｃとは、連結リブ６６、６８によって一体に連設されている。連結リブ６６、６８は、共にケース１２の前後方向を長手方向とした平板状に形成され、連結リブ６６と連結リブ６８とは、左右方向に所定間隔を隔てて（左右対称に）形成されている。なお、連結リブ６６、６８は、上ケース１４側にも同様に（上下対称に）形成されている。
【００３４】
また、袋部２９が設けられている側の前壁１２Ａと遊動規制壁２８との間の所定位置には、上ケース１４側と上下一対となるビスボス６０が設けられており、下ケース１６における後部内面１６Ｃの左右両端部と、左壁１２Ｃ及び右壁１２Ｂとの間の両角部における所定位置にも、上ケース１４側と上下一対となるビスボス６２、６４が設けられている。このような上下一対のビスボス６０、６２、６４は、下ケース１６側が貫通しており、上ケース１４側が非貫通となっている。
【００３５】
また、ケース１２の前壁１２Ａの右端部には、開口１８の前縁部を規定する上下一対の短い傾斜壁部３０が設けられている。この傾斜壁部３０は、開口１８の開放面に沿って屈曲形成され、開口１８の閉塞時に、後述する平面視略円弧状ドア５０の先端がその内側に入り込むことによって、塵埃等が進入できる隙間が生じないようにする防塵壁となっている。そして、傾斜壁部３０の左方近傍の前壁１２Ａ内側には、上下一対のビスボス３２が連設されている。
【００３６】
また、ケース１２の右壁１２Ｂ（周壁１４Ｂ、１６Ｂのうち、外面が矢印Ｂ方向を向く部分）の前端部内側には、平面視で、後述するドア５０の外周面に略沿った形状の上下一対の傾斜壁部３４が設けられている。この傾斜壁部３４の前端面が開口１８の後縁部を規定しており、その前端部には上下一対のビスボス３６が設けられている。
【００３７】
また、ケース１２の右壁１２Ｂには、ケース１２の内外を連通する窓部としての所定長さのスリット４０が設けられており、後述するドア５０の操作突起５２の露出用とされている。このスリット４０は、右壁１２Ｂを構成する上ケース１４の周壁１４Ｂの前側下部を切り欠いて形成され、開口１８側へも開放されている。このように、スリット４０が周壁１４Ｂの一部を上側に残して形成されると、ケース１２の剛性を維持することができるので好ましい。
【００３８】
また、下ケース１６の後方側には、周壁１６Ｂの上端を除く部分が断面視略「コ」字状にケース１２の内方へ凹むとともに、ケース１２の下面から上方へも凹んだ（底板１６Ａが切り欠かれた）凹部４８が形成されている。この凹部４８は、例えばドライブ装置の引き込み手段（図示省略）が係合する係合部とされたり、その底面（下向きの面）がドライブ装置内での高さ（上下）方向における位置決め用の基準面とされるようになっている。
【００３９】
また、その凹部４８の後方側にも周壁１６Ｂの上端を除く部分が断面視略「コ」字状にケース１２の内方へ凹むとともに、ケース１２の下面から上方へも凹んだ（底板１６Ａが切り欠かれた）凹部４６が形成されている。この凹部４６は、ライブラリー装置（図示省略）の把持手段（図示省略）が係合する係合部とされており、このような凹部４６、４８を設けることでケース１２（下ケース１６）の捩り強度が向上されるようになっている。
【００４０】
また、上ケース１４の左壁１２Ｃの上面部分には、平面視略台形状の凹部４４が形成されている。この凹部４４は、開口１８の開放時、ドア５０の開放方向への移動に伴う回転モーメントをキャンセルするために、ドライブ装置に設けられた保持部材（図示省略）が係合する係合部とされている。
【００４１】
また、上ケース１４及び下ケース１６において、開口１８近傍から遊動規制壁２８が最も右壁１２Ｂに接近する部位近傍まで（以下「前半」という）と、スリット４０の後端近傍から後壁の近傍まで（以下「後半」という）、後述するドア５０の凸部５１を内面側及び外面側の両側方から挟み込むように支持する所定高さ（例えば１．０ｍｍ〜１．５ｍｍ程度の高さ）のガイド壁部４２が立設されている。
【００４２】
このガイド壁部４２は、上ケース１４と下ケース１６とではその長さが異なっており、上ケース１４側の方が下ケース１６側よりも後半側が長く形成されている。これは、下ケース１６の後部内面１６Ｃの右壁１２Ｂ側に、後述するメモリーボードＭが配置されるからである。また、後半のガイド壁部４２は、その後端部が平面視略円弧状に閉塞されており、ドア５０がそれ以上後方へ移動できないように、上下それぞれ最も後側の凸部５１の移動を制限するようになっている。
【００４３】
一方、前半のガイド壁部４２は、その前端部が開放されており、リーダーピン２２の出入時に、そのリーダーピン２２の出入を妨げないような位置（図３で示すようにピン保持部２４よりもケース１２後方側で、開口１８の開口幅の約半分程度）まで延設されている。また、傾斜壁部３０の近傍にも、ガイド壁部４２の延長線上に位置するように、後端部が開放されたガイド壁部４１が立設されている。このガイド壁部４１は、その後端部がリーダーピン２２の出入を妨げないように、ピン保持部２４の前端よりも後方側には延設されないようになっており、ドア５０は、その先端がガイド壁部４１に入り込んだ状態で、開口１８を閉塞するようになっている。
【００４４】
また、ガイド壁部４１及び前半のガイド壁部４２は、後半のガイド壁部４２よりも若干低くなるように形成されている。すなわち、例えばガイド壁部４１及び前半のガイド壁部４２の高さは約１ｍｍに形成され、後半のガイド壁部４２の高さは約１．５ｍｍに形成されている。これは、ドライブ装置に設けられた引出手段が、開口１８に入り込めるスペースを確保するためである。したがって、後述するように、ガイド壁部４１及び前半のガイド壁部４２が低くなっている分、その前半部分（少なくとも開口１８を閉塞する部分）におけるドア５０の板幅（高さ）が、大きく（高く）なるように形成されている。
【００４５】
更に、上ケース１４の天板１４Ａ内面及び下ケース１６の底板１６Ａ内面には、その開口１８から露出している外側のガイド壁部４２と一体になって平面視略台形状をなす補強リブ３８が、そのガイド壁部４２と同等の高さになるように立設されており、この補強リブ３８によって開口１８部分における上ケース１４及び下ケース１６の強度が確保されるようになっている。なお、内側のガイド壁部４２はピン保持部２４と一体になるように連設されているが、ピン保持部２４の高さは、一体に連設されたガイド壁部４２の高さと略同等か、それよりも高く形成されていることが望ましい。
【００４６】
以上、説明した上ケース１４と下ケース１６とは、開口１８の縁部の近傍に位置する各ビスボス３２、３６と、上記した各ビスボス６０、６２、６４に下側から図示しないビスがねじ込まれて固定（接合）される構成である。これによって、特に傾斜壁部３０（前壁１２Ａ）及び傾斜壁部３４（右壁１２Ｂ）の各自由端によって規定され、強度的に不利で落下によって地面等に衝突しやすい開口１８両端のコーナー部が、強固に接合され、ケース１２を落しても、記録テープカートリッジ１０全体の重量で変形したり、座屈して位置ずれしたりしない構成である。
【００４７】
また、その開口１８は、遮蔽部材としてのドア５０によって開閉されるようになっている。ドア５０は、少なくとも開口１８を閉塞する部分の板幅（高さ）が開口１８の開口高さと略同一に形成され、それより後側が若干小さく（低く）形成されるとともに、その板長が開口１８の開口幅よりも充分に大きく形成されている。そして、所定の円周に沿って移動できるように、板厚方向に湾曲した平面視略円弧状に形成されている。
【００４８】
このドア５０は、その先端部がガイド壁部４１に入り込んだ状態で開口１８を閉塞し、上記した所定の円周に沿って略後方へスライド移動（回動）して開口１８を開放し、その先端近傍の外周面がビスボス３６近傍に達すると、開口１８を完全に開放する構成になっている。そして、このドア５０は、開口１８を開放するときとは反対方向にスライド移動（回動）することにより、開口１８を閉塞する構成になっている。
【００４９】
このように、ドア５０は、その移動軌跡である所定の円周に対応した円弧状に湾曲形成されており、その回動中心は、本実施形態では、左右方向の位置がケース１２の左端近傍に、前後方向の位置がスリット４０の後端近傍に設定されている。これにより、ドア５０の移動軌跡は、スリット４０の後端近傍において、ケース１２の右壁１２Ｂに最も近接する構成である。なお、ドア５０の回転中心及び半径は、ドライブ装置からの要求により決まる開口１８の前後の縁部（傾斜壁部３０及びビスボス３６）の位置やライブラリー装置からの要求により決まる開口１８の開放面の角度等に応じて適宜決められればよい。
【００５０】
また、ドア５０の湾曲した長手寸法は、その後端部が開口１８の閉塞状態において、ケース１２の凹部４８よりも後方の（凹部４６近傍の）右後角部内に位置するように決められており、ドア５０の後下部は、後述する位置規制リブ１７によって所定の角度θで傾斜配置されたメモリーボードＭを回避するために、斜めに切り欠かれている。なお、ドア５０の前端部内面及び外面の少なくとも一方は、ガイド壁部４１間にスムーズに入り込めるようにテーパー面に形成されることが望ましい。
【００５１】
また、そのドア５０の上面及び下面には、ガイド壁部４２のガイド面（互いに対向している内面）と、ガイド壁部４２間の上ケース１４の天板１４Ａ内面及び下ケース１６の底板１６Ａ内面にそれぞれ摺接して、ドア５０を開口１８の開閉方向に案内する凸部５１が突設されている。
【００５２】
この凸部５１は、ドア５０の長手方向に沿って長い平面視略楕円形状に形成され、上面及び下面にそれぞれ４つずつ、最も後側の凸部５１を除いて上下対称に、かつ、ガイド壁部４２の高さと略同等の高さ（例えば、ドア５０の板幅が異なる境界部分より前側は約０．５ｍｍ、後側は約１．５ｍｍ）になるように突設されている。なお、最も後側の凸部５１が上下対称でないのは、ドア５０の後下部が斜めに切り欠かれていることによる。
【００５３】
このような凸部５１を設けると、ガイド壁部４１及びガイド壁部４２間の上ケース１４の天板１４Ａ内面及び下ケース１６の底板１６Ａ内面並びにガイド壁部４１及びガイド壁部４２のガイド面との摺動抵抗（摩擦）を低減することができ、ドア５０を抵抗少なく、スムーズに摺動させることが可能となる。更に、凸部５１が平面視略楕円形状に形成されていると、例えば平面視略円形状に形成されているものよりも耐衝撃性に優れる。したがって、落下等の衝撃により、ドア５０に開閉方向以外から力が加えられても、その凸部５１が折れるおそれはない。
【００５４】
また、ドア５０の長手方向中央部よりも若干前方（ドア５０の板幅が異なる境界部分近傍）における外周面には、操作部としての操作突起５２がドア５０の径方向に沿って突設されている。操作突起５２は、スリット４０からケース１２の外側に露出されるようになっており、開口１８の閉塞状態ではビスボス３６の後端から僅かに離隔して位置するとともに、スリット４０の前方へ開放された部分から操作可能とされている。
【００５５】
そして、開口１８の開放状態では、操作突起５２は、スリット４０の後縁部から僅かに離隔して位置するようになっており、このとき、ガイド壁部４２の閉塞された後端部に最後端側の凸部５１が当接している。なお、操作突起５２露出用のスリット４０によってケース１２の内外が連通されるが、このスリット４０はビスボス３６と、ケース１２内の略全高に亘るドア５０によって常時ほぼ閉塞され、かつ、そのケース１２内には、内壁としての遊動規制壁２８が設けられているので、リール２０に巻装された記録テープＴへの塵埃等の付着は防止される。
【００５６】
また、ドア５０の前端部内面には、開口１８の閉塞時において、リーダーピン２２の上端部側面及び下端部側面に当接するストッパー５８が突設されており、落下衝撃等によってリーダーピン２２がピン保持部２４から脱落するのを、より一層防止できるようになっている。
【００５７】
そして、ドア５０を開口１８の閉塞方向へ付勢する付勢部材としてのコイルバネ５６は、ドア５０が開口１８の閉塞状態でケース１２の右後角部に至る長さであるため、その右後角部における遊動規制壁２８と右壁１２Ｂ（周壁１４Ｂ、１６Ｂ）との間の空間を有効利用して配設されている。
【００５８】
すなわち、ドア５０の後端近傍の内周面には、板状の支持部５３が径方向に一体に連設され、その支持部５３の上面にバネ保持部５４が上方に向かって一体的に突設されており、下ケース１６の凹部４８近傍の内面には、円柱状のバネ係止部５５が上方に向かって突設されている。そして、コイルバネ５６の両端にはリング状の取付部５６Ａ、５６Ｂがそれぞれ形成されている。したがって、コイルバネ５６は、その一方の取付部５６Ｂをバネ係止部５５に上方から挿入し、他方の取付部５６Ａをバネ保持部５４に上方から挿入することにより、上記した空間内に簡単に取り付けることができる。
【００５９】
また、上ケース１４の天板１４Ａ内面には、ドア５０の開閉時に、バネ保持部５４の上端が摺接するガイドリブ５７が、平面視略円弧状に立設されている。このガイドリブ５７は、少なくともドア５０が移動（開放）し始める際には、バネ保持部５４の上端が摺接できるような位置及び長さに配設され、コイルバネ５６の付勢力に抗して移動するバネ保持部５４をガイドすることにより、ドア５０がより安定して開放されるように（開放時にドア５０がコイルバネ５６の付勢力によってブレないように）している。
【００６０】
なお、このガイドリブ５７を設けることにより、上記のようにして取り付けられたコイルバネ５６の取付部５６Ａが、落下等による衝撃がケース１２に加えられてバネ保持部５４を上昇して来ても、そのバネ保持部５４から外れないようにできる構成である。また、バネ係止部５５側も、その上端が上ケース１４の遊動規制壁２８とガイド壁部４２との間に挿入されることになるので、同様に、取付部５６Ｂがバネ係止部５５から外れるのを防止できる構成である。
【００６１】
また、下ケース１６の右後部には、記録容量、記録形式等の各種情報が記憶され、図示しない読取書込装置が非接触でアクセス可能なメモリーボードＭが所定の角度θ（例えばθ＝４５°）で傾斜配置されている。すなわち、下ケース１６の後部内面１６Ｃは、所定角度θに傾斜しており、その後部内面１６Ｃよりもケース１２前方側で、かつ、遊動規制壁２８よりもケース１２後方側の下ケース１６の底板１６Ａ内面には、位置規制リブ１７が左右方向に所定間隔を隔てて複数（例えば２個）突設されている。
【００６２】
したがって、メモリーボードＭは、後部内面１６Ｃに配置されるとともに、その下端部が位置規制リブ１７によって支持されることにより、所定角度θに傾斜した姿勢で（滑って倒れないように）保持される。なお、後部内面１６Ｃの傾斜角度θは、メモリーボードＭに対するケース１２の下面側及び後面側からのアクセスを可能にするため、４５°にすることが望ましい。
【００６３】
次に、リール２０及び制動手段について説明する。図２、図４で示すように、このリール２０は、略円筒状のハブ７０と、そのハブ７０の上端部（軸方向一端部）から径方向外側に向かって一体に延設された上フランジ７２と、ハブ７０の下端部（軸方向他端部）を閉塞する底壁７６を備えた下フランジ７４と、を有している。すなわち、下フランジ７４の底壁７６が、ハブ７０の下端部に溶着されることで、リール２０が組み立てられるようになっている。
【００６４】
また、図４で示すように、リール２０のハブ７０内には、制動手段としてのブレーキ部材８０が設けられている。このブレーキ部材８０は、略円板状に形成されており、その上面には、平面視十字状の溝部８２Ａを有する制動壁部８２が突設されている。そして、ブレーキ部材８０の下面には、制動ギア８４が環状に形成されており、リール２０の底壁７６の上面に環状に形成された係合ギア７８と噛合可能になっている。
【００６５】
また、図２〜図４で示すように、上ケース１４の天板１４Ａ内面で、かつ、ギア開口２６（環状リブ２６Ａ）と対向する位置には、環状リブ９２がケース１２の内方（下方）へ向けて突設されている。そして、その環状リブ９２の径方向内側には、底面視十字状の制動リブ８８がケース１２の内方（下方）へ向けて突設されている。この制動リブ８８が制動壁部８２の溝部８２Ａ内へ挿入されることで、ブレーキ部材８０の回転を不能とする構成である。
【００６６】
更に、図４で示すように、ブレーキ部材８０を介してリール２０を下方向（下ケース１６の底板１６Ａ）側へ付勢する付勢手段としてのコイルバネ９０が、ケース１２内に設けられている。このコイルバネ９０は、その一端部（上端部）が制動リブ８８の径方向外側で、かつ、環状リブ９２の径方向内側に配置され、その他端部（下端部）がブレーキ部材８０の制動壁部８２の径方向外側に配置されるようになっている。
【００６７】
そして、このコイルバネ９０の付勢力により、回転不能とされたブレーキ部材８０の制動ギア８４が係合ギア７８に噛合され、記録テープカートリッジ１０の不使用時（ドライブ装置に装填されないとき）において、リール２０の不用意な回転を防止するようになっている。
【００６８】
なお、記録テープカートリッジ１０の使用時には、底壁７６の中央に形成された貫通孔７６Ａに脱落防止に設けられた解除部材８６がドライブ装置の解除突起（図示省略）によって上方へ押し上げられる。すると、その解除部材８６を介してブレーキ部材８０がコイルバネ９０の付勢力に抗して上方へ押し上げられ、係合ギア７８に対する制動ギア８４の噛合が解除される。これにより、リール２０がケース１２内において、回転可能となる構成である。
【００６９】
また、図２〜図４で示すように、上ケース１４の天板１４Ａ内面で、かつ、環状リブ９２の径方向外側には、リール２０の中心側から径方向外側に向けて延在する細長い平板状の抑え部としての支持リブ９４が複数形成されている。すなわち、各支持リブ９４は、環状リブ９２（リール２０）と同軸的な放射状に等間隔に配置されており、図示のものは、その中心角が２０°間隔となるように、１８個配置されている。
【００７０】
より詳細には、各支持リブ９４は、それぞれの基端（径方向内側端面）が、環状リブ９２の外周面と一体に形成されるとともに、それぞれの終端（径方向外側端面）が、後述する位置規制リブ９６の内周面と一体に形成されている。そして、各支持リブ９４の高さは、径方向内側から外側に向けて徐々に高くなるように傾斜されており、環状に形成された位置規制リブ９６が成形時の（板厚差で生じる）樹脂収縮によって径方向内側へ傾倒しないように、各支持リブ９４によって抑えられるようになっている。
【００７１】
位置規制手段としての位置規制リブ９６は、図４で示すように、記録テープカートリッジ１０の不使用時において、ケース１２内に収容されているリール２０の径方向の位置を規制するように（リール２０をセンタリングするように）、ハブ７０の内部へ挿入された状態が維持可能な高さに突設されている。すなわち、この位置規制リブ９６の外径は、ハブ７０の内径より若干小さくされており、ハブ７０の内周面に近接した状態で、そのハブ７０内に挿入されるようになっている。
【００７２】
また、その位置規制リブ９６の径方向外側には、リール２０の中心側から径方向外側に向けて延在する細長い平板状の保護突起部としての保護リブ９８が複数形成されている。すなわち、各保護リブ９８は、位置規制リブ９６（リール２０）と同軸的な放射状に等間隔に配置されており、リール２０がケース１２に対して、どの径方向で傾いても、ハブ７０の一端部である上端部７０Ｂが当たるように、その間隔及び数量が決められている。ちなみに、図示のものは、各支持リブ９４の延長線上に各保護リブ９８が形成されている。つまり、各保護リブ９８は、各支持リブ９４と同間隔及び同数で形成されている。
【００７３】
また、図４で示すように、各保護リブ９８の径方向内側端面は、位置規制リブ９６の外周面と一体に形成されており、各保護リブ９８の径方向外側端面９８Ａの位置は、ハブ７０の外周面７０Ａと径方向で略同位置になる位置か、それよりも径方向内側になる位置とされている（例えば、ハブ７０の厚みの範囲内とされている）。換言すれば、各保護リブ９８の径方向における長さＬは、位置規制リブ９６がハブ７０の内周面に近接して配置されていることから、ハブ７０の板厚Ｄとほぼ同じ（Ｌ≒Ｄ）か、その板厚Ｄ以下（Ｌ≦Ｄ）とされている。
【００７４】
また、各保護リブ９８の高さＨは、径方向で一定であり、記録テープカートリッジ１０の使用時に（リール２０がコイルバネ９０の付勢力に抗して上昇位置に支持されたときに）、ハブ７０の上端部７０Ｂが当たることがなく、かつ、リール２０がケース１２に対して傾いたときには、上フランジ７２の外周縁部７２Ａが上ケース１４の天板１４Ａ内面に当たる前に、ハブ７０の上端部７０Ｂが保護リブ９８に当たる（当接する）ように、位置規制リブ９６の高さよりも低い所定の高さに形成されている。
【００７５】
以上のような構成の記録テープカートリッジ１０において、次にその作用について説明する。上記構成の記録テープカートリッジ１０では、不使用時（ドライブ装置に装填されない保管時や運搬時等）には、開口１８がドア５０によって閉塞されている。具体的には、ドア５０は、コイルバネ５６の付勢力によって、常時開口１８の閉塞方向へ付勢されており、その先端部（前端部）が傾斜壁部３０近傍のガイド壁部４１に入り込む状態で開口１８を閉塞している。
【００７６】
また、リール２０は、コイルバネ９０の付勢力により、ブレーキ部材８０を介して下ケース１６の底板１６Ａ側へ付勢されている。すなわち、コイルバネ９０の付勢力により、ブレーキ部材８０の下面に形成された制動ギア８４が、リール２０の底壁７６の上面に形成された係合ギア７８に噛合している。そして、ブレーキ部材８０は、その上面に形成された制動壁部８２の溝部８２Ａ内へ、上ケース１４の天板１４Ａ内面に突設された制動リブ８８が挿入されることにより、その回転が不能とされている。これにより、リール２０の不用意な回転が防止されている。
【００７７】
記録テープカートリッジ１０は、この状態でライブラリー装置に複数収納されている。そして、図示しないロボットハンドに設けられた読取書込装置が各記録テープカートリッジ１０の後面（後壁）側からメモリーボードＭにアクセスし、それに記憶されている記録容量等の各種情報を読み取るとともに、その情報を制御装置（図示省略）に伝達する。これにより、各記録テープカートリッジ１０に最適な（各記録テープカートリッジ１０を記録・再生可能な）ドライブ装置が予め制御装置に認識される。
【００７８】
さて、記録テープＴを使用する際には、ロボットハンドにより、記録テープカートリッジ１０の１つをライブラリー装置から取り出し、その記録テープカートリッジ１０を矢印Ａ方向に沿ってドライブ装置へ装填する。このドライブ装置は、メモリーボードＭに記憶された情報を読み取った結果、選ばれたドライブ装置であり、記録テープカートリッジ１０は、ロボットハンドによってスムーズに、かつ、効率よく、そのドライブ装置に装填される。そして、この装填に伴って、ドライブ装置の開閉部材（図示省略）が、前方へ開放しているスリット４０に進入し、ドア５０の操作突起５２に係合する。
【００７９】
この状態で、記録テープカートリッジ１０（ケース１２）を更に矢印Ａ方向へ押し込むと、この押し込み力によってコイルバネ５６の付勢力に抗しつつ、上記開閉部材が操作突起５２を後方へ移動させる（矢印Ａ方向へ装填されるケース１２に対して後方へ相対移動させる）。すると、その操作突起５２が突設されているドア５０は、凸部５１がガイド壁部４２によって案内されつつ、その湾曲方向に沿って平面視時計方向に回動する。
【００８０】
すなわち、ドア５０は、ガイド壁部４２によって、その湾曲形状に沿った移動軌跡からはみ出すことなく、ピン保持部２４及びリール２０の外側を回り込むように略後方へ移動し、開口１８を開放する。そして、ケース１２（記録テープカートリッジ１０）がドライブ装置に所定深さ装填されると、開口１８が完全に開放されるとともに位置決めされ、ドライブ装置に設けられた読取書込装置が、記録テープカートリッジ１０の下面側からメモリーボードＭにアクセスし、それに記憶されている各種情報を読み取り、更には必要に応じて個別の情報を書き込む。
【００８１】
こうして開口１８が開放された状態で、記録テープカートリッジ１０がドライブ装置内で位置決めされると、ドア５０は、それ以上の回動（略後方への移動）が規制され、開放された開口１８から、ドライブ装置の引出手段がケース１２内に進入し、ピン保持部２４に位置決め保持されているリーダーピン２２を抜き出して、図示しない巻取リールに収容する。
【００８２】
一方、このとき既にドライブ装置の回転シャフト（図示省略）がギア開口２６から進入しており、その回転シャフトに設けられた解除突起が解除部材８６を相対的に上方へ押し上げている。すなわち、その解除部材８６を介してブレーキ部材８０がコイルバネ９０の付勢力に抗して上方へ押し上げられ、係合ギア７８に対する制動ギア８４の噛合が解除されている。そして、リール２０のリールギア７７に回転シャフトに設けられた駆動ギアが噛合している。したがって、リーダーピン２２の抜き出し動作に伴って、リール２０が回転可能となっている。
【００８３】
こうしてリーダーピン２２が巻取リールに収容されると、その巻取リールとリール２０とが同期して回転駆動することにより、記録テープＴは、巻取リールに巻き取られつつ順次ケース１２から引き出され、所定のテープ経路に沿って配設された記録再生ヘッド（図示省略）によって情報の記録や再生が行われる。そして、その情報の記録や再生が終了すると、巻取リールとリール２０とが逆方向に回転することにより、記録テープＴがリール２０に巻き取られ、リーダーピン２２がピン保持部２４に位置決め保持される。
【００８４】
その後、記録テープカートリッジ１０をドライブ装置から排出する際には、回転シャフトがギア開口２６から相対的に抜き出される。すると、コイルバネ９０の付勢力により、ブレーキ部材８０が下方向（下ケース１６の底板１６Ａ）側へ移動し、その制動ギア８４が係合ギア７８に噛合する。そして、解除部材８６が貫通孔７６Ａから下方へ突出されるとともに、記録テープカートリッジ１０のドライブ装置に対する位置決め状態が解除される。
【００８５】
その後、記録テープカートリッジ１０は、コイルバネ５６の付勢力又は図示しないイジェクト機構によって矢印Ａ方向とは反対方向に移動される。すると、ドア５０は、その凸部５１がガイド壁部４２に案内されつつ、コイルバネ５６の付勢力によって開口１８の閉塞方向へ回動する。そして、ドア５０の先端部がガイド壁部４１に入り込むことにより、開口１８が完全に閉塞され、初期状態に復帰する。
【００８６】
ここで、記録テープカートリッジ１０を落下させるなどして、ケース１２に衝撃が加えられても、位置規制リブ９６は、リール２０のハブ７０の内周面に近接された状態で、そのハブ７０内に挿入されているので、図５で示すように、リール２０は、径方向の位置が所定位置に規制され（センタリングされ）、その上フランジ７２及び下フランジ７４の各外周縁部７２Ａ、７４Ａが遊動規制壁２８に接触するおそれがない。
【００８７】
したがって、ハブ７０の外周面７０Ａから離隔されていることにより変形し易い上フランジ７２及び下フランジ７４の各外周縁部７２Ａ、７４Ａが、遊動規制壁２８に当たって記録テープＴ側に折れ曲がり、その記録テープＴの幅方向端部（エッジ）を損傷させるような不具合は起きない。
【００８８】
また、ケース１２に衝撃が加えられ、図６で示すように、リール２０がケース１２に対して上下方向に傾いても、変形し易い上フランジ７２の外周縁部７２Ａが、上ケース１４の天板１４Ａ内面に当たる前に、剛性が高く変形するおそれのないハブ７０の上端部７０Ｂが、保護リブ９８に当たるようになっているため、その上フランジ７２の外周縁部７２Ａが、上ケース１４の天板１４Ａ内面に当たることがない。
【００８９】
すなわち、リール２０は、コイルバネ９０によって下方向（下ケース１６の底板１６Ａ）側に付勢されているので、上フランジ７２の上面と上ケース１４の天板１４Ａ内面との間には隙間（クリアランス）が形成されている。したがって、落下等によりケース１２に衝撃が加えられると、リール２０は、ケース１２に対して上下方向に傾き易い。
【００９０】
しかし、上記したような形状及び長さＬの保護リブ９８が、上ケース１４の天板１４Ａ内面の所定位置に設けられているので、リール２０が上下方向に傾いたときには、そのハブ７０の上端部７０Ｂが確実に保護リブ９８に当たる。よって、上フランジ７２の外周縁部７２Ａが、上ケース１４の天板１４Ａ内面に当たって、記録テープＴ側へ折れ曲がる（上フランジ７２と下フランジ７４との間隔を狭める）ことはなく、記録テープＴの幅方向端部（エッジ）を損傷させることはない。
【００９１】
なお、保護リブ９８の長さＬは、上記のように規定されている。これは、保護リブ９８の径方向の長さＬが、ハブ７０の板厚Ｄよりも長い（Ｌ＞Ｄ）と、ハブ７０の外周面７０Ａよりも径方向外側における上フランジ７２の上面が保護リブ９８に当たり、その保護リブ９８によって上フランジ７２が記録テープＴ側へ変形させられてしまう可能性があるからである。つまり、保護リブ９８の長さＬを上記のように規定することにより、記録テープＴの幅方向端部（エッジ）の損傷を確実に防止することができる。
【００９２】
しかも、各保護リブ９８はリール２０の中心側から放射状に延在し、隣接する保護リブ９８同士のなす角度が均等にされているので、リール２０が、どの径方向で（上フランジ７２の全周に亘って）上下方向に傾いても、記録テープＴの幅方向端部（エッジ）の損傷を確実に防止することができる。
【００９３】
また、各保護リブ９８が放射状に形成されていると、位置規制リブ９６のような環状に形成されたものに比べて、板厚差を低減できるので、成形時における樹脂収縮による傾倒を発生し難くできる利点がある。したがって、各保護リブ９８は精度良く形成される。
【００９４】
次に、第２実施形態に係る記録テープカートリッジ１１について説明する。なお、上記第１実施形態に係る記録テープカートリッジ１０と同等の部位には、同じ符号を付して詳細な説明は省略する。また、第２実施形態に係る記録テープカートリッジ１１の作用も、第１実施形態に係る記録テープカートリッジ１０の作用と同等であるため、その説明は省略する。
【００９５】
図７、図８で示すように、第２実施形態に係る記録テープカートリッジ１１に収容されるリール２１は、下フランジ７５とハブ７１とが一体に形成され、上フランジ７３の内周縁部７３Ｂにおける下面が、ハブ７１の上端部７１Ｂに溶着されることで組み立てられる構成になっている。
【００９６】
また、図９で詳細に示すように、この記録テープカートリッジ１１の上ケース１５の天板１５Ａ内面にも、径方向内側から順に位置規制リブ９６と同等の位置規制手段としての位置規制リブ９７と、保護リブ９８と同等の保護突起部としての環状の保護凸部９９が形成されている。
【００９７】
なお、図９で示す位置規制リブ９７は、底面視略円弧状の小リブ９７Ａが断続的に（等間隔に）複数個（例えば６個）突設されることで構成されているが、位置規制リブ９６と同様に、連続した環状に形成されていてもよい。また、逆に、位置規制リブ９６が、位置規制リブ９７と同様に、底面視略円弧状の小リブ（図示省略）が断続的に（等間隔に）複数個突設されることで構成されてもよい。
【００９８】
更に、図９で示す保護凸部９９は、環状に形成されているが、保護リブ９８と同様に、放射状のリブで構成されていてもよい。また、逆に、第１実施形態に係る記録テープカートリッジ１０において、保護リブ９８の代わりに、保護凸部９９と同様の環状の保護凸部（図示省略）を保護リブ９８と同じ高さに形成する構成にしてもよい。
【００９９】
また、図７で示すように、上記第１実施形態と同様に、保護凸部９９の径方向外側端面９９Ａの位置が、ハブ７１の外周面７１Ａと径方向で略同位置になる位置か、それよりも径方向内側になる位置とされている。そして、保護凸部９９の高さＪは、径方向で一定とされている。
【０１００】
ここで、この第２実施形態に係る記録テープカートリッジ１１は、不使用時において、リール２１の上フランジ７３と上ケース１５の天板１５Ａ内面との間の隙間、即ち上下方向のクリアランスＳが、上記第１実施形態に係る記録テープカートリッジ１０よりも小さい構成とされている。
【０１０１】
そのため、ドライブ装置に装填された使用時には、ケース１２内において、上フランジ７３が上ケース１５の天板１５Ａ内面に近接配置される構成になっている。したがって、その使用時に、上フランジ７３の内周縁部７３Ｂが保護凸部９９に当たらないように、保護凸部９９の高さＪが、保護リブ９８の高さＨよりも低く（Ｊ＜Ｈ）設定されている。
【０１０２】
また、この記録テープカートリッジ１１では、図７で示すように、保護凸部９９よりも径方向外側における上ケース１５の天板１５Ａ内面が、その径方向外側に行くに従ってケース１２内の空間を徐々に拡げるような断面視略テーパー形状に形成されている。
【０１０３】
したがって、図８で示すように、落下等による衝撃でリール２１が上下方向に傾いたときには、上フランジ７３の外周縁部７３Ａが、上ケース１５の天板１５Ａ内面に当たる前に、ハブ７１の上端部７１Ｂの直上に配置されている上フランジ７３の内周縁部７３Ｂが、保護凸部９９に当たることができる。
【０１０４】
つまり、これによれば、落下等による衝撃でリール２１が上下方向に傾いても、リール２１の上フランジ７３の外周縁部７３Ａが、上ケース１５の天板１５Ａ内面に当たらないようにすることができる。
【０１０５】
このように、上記クリアランスＳが、第１実施形態に係る記録テープカートリッジ１０よりも小さい構成とされた第２実施形態に係る記録テープカートリッジ１１であっても、上ケース１５の天板１５Ａ内面の形状を上記形状に形成することにより、上記第１実施形態に係る記録テープカートリッジ１０と同等の作用効果を得ることができる。
【０１０６】
以上、本実施形態に係る記録テープカートリッジ１０について、図面に示す実施例を基に説明したが、本実施形態に係る記録テープカートリッジ１０は、図示の実施例に限定されるものではなく、本発明の要旨を逸脱しない範囲内で適宜設計変更可能である。
【０１０７】
例えば、本実施形態に係る保護突起部は、図３で示す保護リブ９８のような位置規制リブ９６から放射状に延びるリブ形状に限定されるものではなく、例えば位置規制リブ９６から渦巻状に延びるリブ形状や、位置規制リブ９６の径方向外側に等間隔で環状に並べられた複数の半球状凸部等で構成してもよい。
【０１０８】
但し、保護突起部は、ある程度の高さ以上で環状に形成されると、上記したように樹脂収縮による傾倒が発生するおそれがあるので、保護凸部９９よりも高く形成する場合には、環状に形成しない方が望ましい。
【０１０９】
また、位置規制リブ９６、９７は、リール２０をセンタリングできる形状であればよく、図示のものに限定されるものではない。なお、位置規制リブ９７のように環状に形成されない方が、上記のような樹脂収縮による傾倒の発生を抑制できるので望ましい。
【０１１０】
また、ドア５０は、平面視略円弧状に形成され、所定の円周に沿ってスライドするものに限定されるものではなく、例えば所定の直線に沿ってスライドする平板状のドアとしてもよい。また、２本のリールをケース内に回転可能に収容した所謂２リールの記録テープカセットであっても、同様に適用が可能である。
【０１１１】
更に、記録テープＴは、情報の記録及び記録した情報の再生が可能な長尺テープ状の情報記録再生媒体として把握されるものであれば足り、記録テープカートリッジ１０が、如何なる記録再生方式の記録テープＴにも適用可能であることは言うまでもない。
【符号の説明】
【０１１２】
１０  記録テープカートリッジ
１２  ケース
１４  上ケース
１４Ａ  天板
１６  下ケース
１６Ａ  底板
２０  リール
７０  ハブ
７０Ａ  外周面
７０Ｂ  上端部（一端部）
７２  上フランジ（フランジ）
７４  下フランジ
９０  コイルバネ（付勢手段）
９２  環状リブ
９４  支持リブ（抑え部）
９６  位置規制リブ（位置規制手段）
９７  位置規制リブ（位置規制手段）
９８  保護リブ（保護突起部）
９８Ａ  径方向外側端面
９９  保護凸部（保護突起部）
９９Ａ  径方向外側端面
Ｔ  記録テープ
【図１】
2011243269.tif 000003
【図２】
2011243269.tif 000004
【図３】
2011243269.tif 000005
【図４】
2011243269.tif 000006
【図５】
2011243269.tif 000007
【図６】
2011243269.tif 000008
【図７】
2011243269.tif 000009
【図８】
2011243269.tif 000010
【図９】
2011243269.tif 000011